(57)【特許請求の範囲】
【請求項１】
幅狭短尺板状で途中を上方に突出して突出部を形成した敷目部と、該敷目部下辺を裏面側に屈曲した馳部と、敷目部の上辺を表面側に屈曲して形成した雨返部とから形成し、かつ、幅方向において、敷目部の両側縁を表面側に折り返し、その先端を内側方に突出した延長部と、該延長部の先端を敷目部の略中央近傍まで突出した係止舌片とから係止部を形成した防水継手材と、水平面状の係合片と、該係合片の幅方向の中央部分を上方に突出した立ち上がり片とから形成した突出部材とからなり、防水継手材の係止部に突出部材の係合片を係合して一体化したことを特徴とする継手材。
【発明の詳細な説明】
【０００１】
【発明の属する技術分野】
本発明は横葺き用屋根材、等の外装材を用いて屋根、壁体を形成した際の、左右の連結部に使用すると共に、美観性の向上、補強機能、雪割り機能、等を付加した継手材に関するものである。
【０００２】
【従来の技術】
従来、横葺き用屋根材、横張り用外壁材等の外装材を施工した際の接続構造は、▲１▼外装材の両側縁をはぜ状に屈曲し、互いにはぜ継ぎした構造、▲２▼敷目板とカバー材とにより外装材の側端部を上下でサンドイッチした構造、▲３▼外装材同士を単に重ねた構造、等であった。
【０００３】
【発明が解決しようとする課題】
しかしながら、これらの構造において、▲３▼は防水性に劣り、▲１▼、▲３▼は外装材を重ねることにより段差が不揃いとなって意匠性の低下を招く不利があった。また▲２▼では、特に屋根材に適応した場合、積雪地方での雪落としの際にカバー材を外装材の長手方向にスライドさせてしまい継手部分が外部に露出してしまう危険性があった。
【０００４】
【課題を解決するための手段】
本発明はこのような欠点を除去するため、幅狭短尺板状で途中を上方に突出して突出部を形成した敷目部と、該敷目部下辺を裏面側に屈曲した馳部と、敷目部の上辺を表面側に屈曲して形成した雨返部とから形成し、かつ、幅方向において、敷目部の両側縁を表面側に折り返し、その先端を内側方に突出した延長部と、該延長部の先端を敷目部の略中央近傍まで突出した係止舌片とから係止部を形成した防水継手材と、水平面状の係合片と、係合片の幅方向の中央部分を上方に突出した立ち上がり片とから形成した突出部材とからなり、防水継手材の係止部に突出部材の係合片を係合して一体化した継手材を提供するものである。
【０００５】
【発明の実施の形態】
以下に図面を用いて本発明に係る継手材について詳細に説明する。図１（ａ）〜（ｄ）は継手材Ｐを示す斜視図と端面図、図２（ａ）〜（ｄ）は防水継手材Ａを示す説明図、図３（ａ）〜（ｄ）は突出部材Ｂを示す斜視図、図４（ａ）〜（ｃ）〜図８（ａ）、（ｂ）は金属製外装材ＤとシートＥよりなる外装材Ｃと、継手材Ｐと、防水継手材Ａの施工状態を示す説明図である。また、αは下地、βは釘等の固定具を示している。
【０００６】
下地αは、新築の際は図４（ｃ）に示すように垂木１、野地板２、防水シート３（一点鎖線で示す）から構成した木造下地を示したものである。すなわち、垂木１上に野地板２を敷設し、野地板２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、改修屋根の際には、これらに新生瓦や瓦棒等の既存屋根（図示せず）が含まれる構造である。
【０００７】
防水継手材Ａは、例えば図１（ａ）〜（ｄ）、図２（ａ）〜（ｄ）に示すように、金属製外装材Ｄと同様な種類の素材を同等な成形法により形成したものである。その素材としては、金属材（例えばステンレス、鉄、アルミニウム、銅、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等）、あるいは合成樹脂材（プラスチック）、等であり、ロール成形、押出成形、射出成形、プレス成形、等を介して成形したものである。
【０００８】
すなわち、防水継手材Ａは図２（ａ）、（ｂ）に示すように、金属製外装材Ｄの裏面１６と当接する敷目部４と、敷目部４の下辺を裏面側に屈曲した馳部５と、敷目部４の上辺を表面側に屈曲して形成した雨返部６とから形成したものであり、かつ、幅方向において、敷目部４の両側縁を表面側に折り返し、その先端を内側方に突出した延長部８と、延長部８の先端を敷目部４の略中央近傍まで突出した係止舌片９とから係止部７を形成したものである。また、敷目部４には上方に突出した突出部４ａを形成し、強度を向上すると共に、防水性をも向上しているものである。勿論、防水継手材Ａを単体で使用する場合には、外装材Ｃ同士を連結するジョイントとして機能するものである。
【０００９】
なお、この端面形状は敷目部４のみならず、馳部５から雨返部６にかけてほぼ同一とすることが可能である。すなわち、防水継手材Ａはロールフォーミング等により連続的に成形し、その後の切断、プレス加工等により連続して生産することが可能である。
【００１０】
係止舌片９は、図２（ｃ）、（ｄ）に示すように金属製外装材Ｄの化粧面１５の両端部に設けた連結片２５を嵌合、係止するものである。
【００１１】
なお、図４（ａ）に示すように外装材Ｃの引っ掛け溝１９の最奥部から固定片２３の端部間の寸法をＷ、図２（ａ）に示すように防水継手材Ａの敷目部４の長さをｗとすると、Ｗ＜ｗの関係である。
【００１２】
突出部材Ｂは図３（ａ）〜（ｄ）に示すように、固定部となる水平面状の係合片１０と、係合片１０の中央部分を上方に突出した立ち上がり片１１と、立ち上がり片１１の側面をカバーしたカバー片１２とからなる補強部１３と、係合片１０の上端部に形成した平面１４とから形成したものである。また、突出部材Ｂの素材としては、金属材（例えばステンレス、鉄、アルミニウム、銅、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等）、あるいは合成樹脂材（プラスチック）、等であり、ロール成形、押出成形、射出成形、プレス成形、等を介して成形したものである。
【００１３】
係合片１０は防水継手材Ａの係止部７に図１（ｂ）に示すように一体化され、外装材Ｃが下地αに固定具βを介して固定されることにより、下地α上に固定されるものである。勿論、防水継手材Ａと突出部材Ｂを接着剤、スポット溶接等の接着方法により一体化しても良いものである。
【００１４】
突出部材Ｂは屋根の景観を向上する部材、屋根上に人が上がったときの足場機能、補強材、滑り防止材、積雪時の雪割り機能、等として有効なものである。
【００１５】
外装材Ｃの代表例として示す金属製外装材Ｄは、図４（ａ）、（ｂ）に示すようなものであり、例えば金属板（カラー鋼板、銅板、アルミニウム板、チタン板、ステンレス板、サンドイッチ鋼板、クラッド鋼板等）等をロール成形、プレス成形、押出成形、等によって形成したもの、あるいは窯業系素材、もしくは合成樹脂材（プラスチック）、等である。勿論、外装材Ｂは、シートＥを削除した金属製外装材Ｄのみでも使用可能である。
【００１６】
さらに説明すると、金属製外装材Ｄは長尺板状であり、その幅方向一側縁を化粧面１５の下側、すなわち、裏面１６側に略コ字状に屈曲して段差化粧面１７と、段差化粧面１７の下端を内側方に突出した差込縁１８と、化粧面１５と段差化粧面１７と差込縁１８とから略コ字状に形成した引っ掛け溝１９とから雄型連結部２０を形成したものである。
【００１７】
また、化粧面１５の他端には化粧面１５の上側に屈曲して断面略Ｕ字状に形成した前記差込縁１８と嵌合する嵌合溝２１と、嵌合溝２１の先端をコ字状に折り返した嵌合縁２２と、嵌合縁２２の先端を下方に屈曲すると共に化粧面１５と略平行で外方にＬ字状に屈曲して延長した固定片２３とから雌型連結部２４を形成したものである。
【００１８】
さらに、図１（ｃ）〜（ｅ）、図４（ｂ）に示すように化粧面１５の長手方向の両側端縁にはそれぞれ裏面１６側にハゼ状に屈曲した連結片２５を形成したものである。なお、長手方向の強度の強化と、外部からの雨水等が毛細管現象により内部に浸入するのを防止する意味で、差込縁１８と嵌合縁２２に凹条２６、凹条２７を形成している。
【００１９】
また、嵌合縁２２には凸条２８を形成したものであり、この凸条２８は図４（ｃ）に示すように施工された時点で、防水層、気密層として機能するものである。
【００２０】
シートＥは断熱材、吸音材、緩衝材、防火材、結露防止材、等として機能するものであり、不織布、合成樹脂発泡体（例えばＰＥＦ（ポリエチレンフォーム）、等）、ロックウール、テックス（軟質繊維板）、ゴムシート、樹脂シート、等よりなるものである。
【００２１】
シートＥの一例としては不織布であり、縦糸と横糸を交差させて繊維から織物にする従来の方法と異なり、各種の繊維を接着剤等で結合した布である。この布はまず繊維が平行に交差するか、また無秩序に配列された薄いフェルト状のものを接着剤で結合させるか、または主体となる繊維状態の中に別の熱可塑性繊維を混在させて、加熱および加圧して溶融し相互に結合させたりして作られたものである。一般的にはプラスチック補強材・レザー生地・フェルト等として用いられる。
【００２２】
その素材としては、例えばポリエステル系、ナイロン系、ビニロン系、ボロン系、炭素系、アルミナ系、炭化ケイ素系、アラミド系、ガラス系等の繊維からなるシート状物である。
【００２３】
その接着方法は、接着剤、熱融着、等を介して行うものであり、接着剤としては自然硬化型接着剤、常温硬化型接着剤、熱硬化型接着剤、紫外線硬化型接着剤、反応硬化型接着剤、等の少なくとも１種からなるものであり、例えばエポキシ樹脂、フェノール樹脂、ウレタン樹脂、ビニル樹脂、アクリル樹脂、ポリエステル樹脂、ＥＶＡ樹脂等の合成樹脂系の接着剤、ゴム系接着剤、油性系接着剤、等よりなるものである。
【００２４】
その接着はシートＥと金属製外装材Ｄの接触面全面、あるいは線状（複数本）、面状（複数本）で横、縦、斜め、等に形成するものである。勿論、全面に接着剤を介して形成した場合には、金属製外装材Ｄ自体に衝突した時の生ずる固体音（これに対して空気中を伝搬する音を空気音という）が、全面接着とシートの相乗効果により減衰し、家屋内側への騒音の侵入を防止する効果を有するものである。
【００２５】
さらに、シートＥには遮音材を含浸、含有、混合、積層（一層、あるいは複数層）、サンドイッチ、等し、シートＥ自体に遮音性を具備させることもできるものであり、遮音材は粉状、シート状、等である。
【００２６】
なお、遮音性を表す透過損失は均一な材料からできている壁体の単位面積当たりの重量とほぼ比例するので、単位面積当たりの質量が大きいほど、遮音性能は良くなるものである。このため、シートＥに形成する遮音材としては比重の大きい材料を使用するものである。
【００２７】
遮音材としては、金属粉（鉛、鉄、銅、真鍮、等）、コンクリート粉、セメント粉、ガラス粉、ゴム粉、等、あるいは金属板（鉛、鉄、銅、真鍮、等）、コンクリート板、セメント板、ガラス板、ゴム板、等、もしくは石粉、岩粉、石膏粉、炭酸カルシウム、ケイ酸カルシウム、等である。勿論、これらをシート状に形成（合成樹脂、接着剤等で結合）した遮音性シート材を遮音材として形成することもできる。
【００２８】
また、図１（ａ）に示すように一体化した継手材Ｐの防水継手材Ａの下端から、突出部材Ｂのカバー片１２までの距離をＹ、図３（ｃ）に示すように係合片１０からカバー片１２までの高さをＨ、図４（ａ）に示すように固定片２３から凸条２８までの高さをｈ、嵌合縁２２の先端から連結片２５までの距離をｙ、化粧面１５から連結片２５までの厚さをｔとすると、Ｙ≦ｙの場合には横方から差し込んで係止部７に連結片２５を挿入できないのでＨ＞ｈであり、Ｙ＞ｙの場合には横方から差し込んでから係止部７に連結片２５を挿入できるためにＨ＞ｔである。
【００２９】
Ｆはパッキング材であり、合成樹脂系、ゴム系、等の防水材である。また、パッキング材Ｆは接着剤を介して、あるいはパッキング材Ｆ自体に粘着剤を形成したテープ材、もしくは熱融着、嵌合、等の接着手段により一体化しているものである。
【００３０】
ここで、本発明に係る兼用防水継手材の一施工方法について図５（ａ）〜（ｃ）、図６（ａ）、（ｂ）を用いて説明する。まず、図５（ａ）に示すように、下段の外装材Ｃの連結片２５に継手材Ｐの係止舌片９を挿入し、図１（ｃ）に示すように連結し、継手材Ｐをスライドさせて係合し、図５（ｂ）に示すように連結し、外装材Ｃの固定片２３を固定具βにより下地αに固定する。次に、図５（ｃ）に示すように継手材Ｐ（図示せず）を形成した下段の外装材Ｃの連結片２５を、継手材Ｐの係止舌片９に挿入して図１（ｄ）に示すように連結し、その後、外装材Ｃをスライドさせて図６（ａ）に示すように連結し、外装材Ｃの固定片２３を固定具βにより下地αに固定する。順次このような工程を繰り返すことにより、下段の外装材Ｃを施工する。
【００３１】
下段の外装材Ｃの施工が完了したら、次に、図６（ｂ）に示すように下段の外装材Ｃの嵌合溝２２に、継手材Ｐ（図示せず）を形成した上段の外装材Ｃの差込縁１８を挿入し、外装材Ｃの固定片２３を固定具βにより下地αに固定する。このように、図５（ｂ）に示すように一端部に一体化した継手材Ｐと外装材Ｃを、順次繰り返すことにより施工し、施工を完了するものである。なお、図７（ａ）〜（ｃ）、図８（ａ）、（ｂ）は防水継手材Ａの施工順序を示す説明図であり、継手材Ｐと同様の施工順序で施工されるものである。勿論、軒先にはスタータ、唐草、端部にはケラバキャップ、棟には棟包み、隅棟カバー、谷樋、壁押さえ、等の役物を使用するものである。また、必要部分にはパッキング材、コーキング材を使用するものである。
【００３２】
以上説明したのは本発明に係る継手材の一実施例であり、防水継手材Ａを図９（ａ）〜（ｃ）〜図１１（ａ）〜（ｉ）に示すように形成したり、突出部材Ｂを図１２（ａ）〜（ｄ）〜図１９（ａ）〜（ｄ）に示すように形成したり、継手材Ｐを図２０（ａ）〜（ｃ）、図２１（ａ）〜（ｃ）に示すように形成したり、外装材Ｃを図２２（ａ）〜（ｊ）、図２３（ａ）〜（ｋ）に示すように形成することもできるものである。
【００３３】
図１０（ｂ）、（ｃ）は穴２９を形成した防水継手材Ａである。
【００３４】
特に、図１１（ｆ）〜（ｉ）は２部材、３部材からなる防水継手材Ａである。
【００３５】
図１３（ａ）、（ｂ）、図１５（ａ）〜（ｆ）は固定片３０を形成した突出部材Ｂである。
【００３６】
図１７（ａ）〜（ｃ）〜図１９（ａ）〜（ｄ）は突出部材Ｂに雪止め３１を形成し、雪止め機能も付加した継手材Ｐを形成できるようにしたものである。
【００３７】
図２０（ａ）〜（ｃ）、図２１（ａ）〜（ｃ）は突出部材Ｂに固定片３０を形成し、固定力を向上した継手材Ｐである。
【００３８】
図２２（ａ）〜（ｊ）、図２３（ａ）〜（ｋ）は外装材Ｃのその他の実施例を示す説明図であり、特に、図１５（ｃ）〜（ｊ）、図１６（ｃ）〜（ｊ）は外装材Ｃの裏面に断熱材Ｇ、裏面材Ｈを形成した防水継手材Ｄ、図１６（ａ）〜（ｋ）は取付具Ｉで固定するようにした外装材Ｃである。
【００３９】
断熱材Ｇはポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体よりなるボード、あるいはこれら合成樹脂発泡体をシート材でサンドイッチした複合板、もしくは石膏ボード、セメント板、炭酸カルシウム板、珪酸カルシウム板、セラミック板、木片セメント板、炭酸マグネシウム板、シージングボード、シージングインシュレーションボード、合板、さらにはグラスウール、ロックウール、等の繊維系断熱材、等よりなるもの、さらにはこれらの複合板よりなるものである。
【００４０】
裏面材Ｈは金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００４１】
継手材Ｐ同士の固定片１３あるいはカバー片１２に亘って、長尺状の雪止め用アングルを固定して形成しても良いものである。また、継手材Ｐの固定片１３あるいはカバー片１２を落雪防止用のネットの設置下地として機能させても良いものである。
【００４２】
なお、継手材Ｐは全面に形成したり、任意位置、例えば外装材Ｃの軒先近傍部分に数段形成できるものである。勿論、その他の部分は防水継手材Ａにより施工されるものである。
【００４３】
【発明の効果】
以上説明したように、本発明に係る継手材によれば、▲１▼継手材と防水継手材が一つの部材で兼用できる。▲２▼継手材が上下左右に移動することがない。▲３▼突出部材にも防水継手材にも釘等の固定具を打設することがない。▲４▼突出部材と防水継ぎ材の一発施工のために施工性がよい。▲５▼施工が楽である。▲６▼突出部材は屋根の景観を向上する部材、屋根上に人が上がったときの足場機能、補強材、滑り防止材、として機能する。▲７▼積雪時に積もった雪に切れ目を付け、雪が落下しやすいように形成する雪割り機能を有する。等の特徴、効果がある。
【図面の簡単な説明】
【図１】本発明に係る継手材の代表的一例を示す説明図である。
【図２】本発明に係る継手材に使用する防水継手材の代表的一例を示す説明図である。
【図３】本発明に係る継手材に使用する突出部材の代表的一例を示す説明図である。
【図４】本発明に係る継手材に使用する外装材の代表例と施工状態を示す説明図である。
【図５】本発明に係る継手材の施工順序を示す説明図である。
【図６】本発明に係る継手材の施工順序を示す説明図である。
【図７】防水継手材の施工順序を示す説明図である。
【図８】防水継手材の施工順序を示す説明図である。
【図９】防水継手材のその他の実施例を示す説明図である。
【図１０】防水継手材のその他の実施例を示す説明図である。
【図１１】防水継手材のその他の実施例を示す説明図である。
【図１２】突出部材のその他の実施例を示す説明図である。
【図１３】突出部材のその他の実施例を示す説明図である。
【図１４】突出部材のその他の実施例を示す説明図である。
【図１５】突出部材のその他の実施例を示す説明図である。
【図１６】突出部材のその他の実施例を示す説明図である。
【図１７】突出部材のその他の実施例を示す説明図である。
【図１８】突出部材のその他の実施例を示す説明図である。
【図１９】突出部材のその他の実施例を示す説明図である。
【図２０】継手材のその他の実施例を示す説明図である。
【図２１】継手材のその他の実施例を示す説明図である。
【図２２】外装材のその他の実施例を示す説明図である。
【図２３】外装材のその他の実施例を示す説明図である。
【符号の説明】
α  下地
β  固定具
Ｐ  継手材
Ａ  防水継手材
Ｂ  突出部材
Ｃ  外装材
Ｄ  金属製外装材
Ｅ  シート
Ｆ  パッキング材
Ｇ  断熱材
Ｈ  裏面材
Ｉ  取付具
１  垂木
２  野地板
３  防水シート
４  敷目部
４ａ  突出部
５  馳部
６  雨返部
７  係止部
８  延長部
９  係止舌片
１０  係合片
１１  立ち上がり片
１２  カバー片
１３  補強部
１４  平面
１５  化粧面
１６  裏面
１７  段差化粧面
１８  差込縁
１９  引っ掛け溝
２０  雄型連結部
２１  嵌合溝
２２  嵌合縁
２３  固定片
２４  雌型連結部
２５  連結片
２６  凹条
２７  凹条
２８  凸条
２９  穴
３０  固定片
３１  雪止め
【図１】
0004357676.tif 000002
【図２】
0004357676.tif 000003
【図３】
0004357676.tif 000004
【図４】
0004357676.tif 000005
【図５】
0004357676.tif 000006
【図６】
0004357676.tif 000007
【図７】
0004357676.tif 000008
【図８】
0004357676.tif 000009
【図９】
0004357676.tif 000010
【図１０】
0004357676.tif 000011
【図１１】
0004357676.tif 000012
【図１２】
0004357676.tif 000013
【図１３】
0004357676.tif 000014
【図１４】
0004357676.tif 000015
【図１５】
0004357676.tif 000016
【図１６】
0004357676.tif 000017
【図１７】
0004357676.tif 000018
【図１８】
0004357676.tif 000019
【図１９】
0004357676.tif 000020
【図２０】
0004357676.tif 000021
【図２１】
0004357676.tif 000022
【図２２】
0004357676.tif 000023
【図２３】
0004357676.tif 000024